(57)【特許請求の範囲】
【請求項１】
被写体を撮像することにより前記被写体の光学像を電子画像に変換する撮像部を有し、同一光源下における同一被写体の前記光学像と前記電子画像とを表示部に同時に表示することができる撮像装置であって、
前記光学像と同時に表示する前記撮像部からの電子画像に対し、標準観察環境下における色再現を実現する画像処理を行うことなく前記電子画像の被写体を照明している光源下における色再現を実現する画像処理を行う画像処理手段を有することを特徴とする撮像装置。
【請求項２】
前記画像処理手段は、前記光学像と同時に表示する前記電子画像に対し、前記電子画像中の色信号の赤色成分と青色成分とに、等しいゲインをかけることにより画像処理を行うことを特徴とする請求項１に記載の撮像装置。
【請求項３】
前記画像処理手段は、前記電子画像を前記光学像と同時に表示しない場合において、前記光学像と同時に表示しない前記電子画像に対し、標準観察環境下における色再現を実現する画像処理を行うことを特徴とする請求項１又は２に記載の撮像装置。
【請求項４】
前記画像処理手段は、前記電子画像を前記光学像と同時に表示しない場合において、前記光学像と同時に表示しない前記電子画像に対し、前記電子画像中の無彩色部における色信号の赤色成分と青色成分とが等しくなるように各色信号のゲインを制御して画像処理を行うことを特徴とする請求項３に記載の撮像装置。
【請求項５】
前記撮像部によって撮像された電子画像を、撮像された直後に表示する場合において、
前記画像処理手段は、前記撮像された直後に表示する電子画像に対して、前記電子画像の被写体を照明している光源下における色再現を実現する画像処理を行うことを特徴とする請求項１乃至４の何れか１項に記載の撮像装置。
【請求項６】
前記電子画像を表示する第１の表示装置及び第２の表示装置を有し、
前記第１の表示装置は、前記表示部から視認可能に設けられ、
前記第２の表示装置は、該撮像装置の外装筐体に設けられ、
前記撮像された直後に表示する電子画像を前記第２の表示装置に表示することを特徴とする請求項５に記載の撮像装置。
【請求項７】
被写体を撮像することにより前記被写体の光学像を電子画像に変換する撮像部を有し、同一光源下における同一被写体の前記光学像と前記電子画像とを同時に表示することができる撮像装置の制御方法であって、
前記光学像と同時に表示する前記撮像部からの電子画像に対し、標準観察環境下における色再現を実現する画像処理を行うことなく前記電子画像の被写体を照明している光源下における色再現を実現する画像処理を行う画像処理ステップを有することを特徴とする制御方法。
【請求項８】
被写体を撮像することにより前記被写体の光学像を電子画像に変換する撮像部を有し、同一光源下における同一被写体の前記光学像と前記電子画像とを同時に表示することができる撮像装置を制御するプログラムであって、
前記光学像と同時に表示する前記撮像部からの電子画像に対し、標準観察環境下における色再現を実現する画像処理を行うことなく前記電子画像の被写体を照明している光源下における色再現を実現する画像処理を行う画像処理ステップをコンピュータに実行させるためのプログラム。
【発明の詳細な説明】
【技術分野】
【０００１】
本発明は、光学像と電子画像とを同時に表示することができる撮像装置、その制御方法及びプログラムに関するものである。
【背景技術】
【０００２】
従来、撮影姿勢を崩さずに再生画像の確認動作を容易にするために、光学ファインダと電子ファインダとを切り替えることができるカメラが知られている（特許文献１参照）。このカメラは、撮影レンズを通った物体像を光学的にファインダに導く第１のファインダ系と、撮像素子及び表示装置を介して電子的にファインダに導く第２のファインダ系とを有している。また、このカメラは、第１のファインダ系と第２のファインダ系との有効状態を切り替えるためにファインダ切替部を有している。さらに、このカメラは、蓄積部に記録する記録モード及び蓄積部から読み出して表示装置に表示する再生モードを切り替えるモード切替部と両モードの切り替えを行う制御部とを有している。この制御部が記録モードから再生モードに切り替えたときに、ファインダ切替部は強制的に第２のファインダ系を有効状態にするように切り替える。そして、制御部が再び再生モードから記録モードに戻したときには、ファインダ切替部は元の記録モードで有効状態とされていたファインダ系に自動復帰させる。
【０００３】
このように、特許文献１に記載のカメラは、制御部が記録モードや再生モードに切り替えたときに、物体像を光学的にファインダに導く第１のファインダ系と物体像を電子的にファインダに導く第２のファインダ系とを単に切り替えるだけであった。従って、第２のファインダ系が使用されているときには、撮影者は第１のファインダ系により物体像を視認することができず、折角のシャッタチャンスを逃してしまうことが多々あった。
【０００４】
そこで、被写体の光学像表示領域の近傍に電子画像の表示領域を設けることで、両方の画像を同一のファインダで同時に視認可能とする構成が考えられる。このような構成とすることで、撮影者はファインダから目を離すことなく電子画像を視認することができるため、電子画像観察中にファインダから目を離したために、シャッタチャンスを逃すということを軽減することができる。
【０００５】
【特許文献１】特開２００４−３５７１２３号公報
【発明の開示】
【発明が解決しようとする課題】
【０００６】
しかしながら、カメラを上述のように光学像と電子画像とを同一ファインダで同時に視認可能とする構成にした場合、以下に掲げる問題が考えられる。
カメラによって撮像された電子画像には、ホワイトバランス処理が施されている。ここで、ホワイトバランス処理とは複数の色フィルターを持った撮像素子によって撮像された電子画像を出力する際に、撮像画像中の光源の色温度を判別し、電子画像中の無彩色部が無彩色として表現されるように調整することである。これにより、人間の見た目の色を、標準観察環境下において再現可能となる。ここでいう標準観察環境下とは、ｓＲＧＢ色空間において規定している発光体色のＤ６５光源（ｘ＝０．３１２７， ｙ＝０．３２９１）の基準白を想定している。
【０００７】
一方、人間の視覚系は、明るさや色に対して恒常性がある。即ち、人間の視覚系は、照明光源が変化しても色の見え方に大きな変化を与えない色順応特性をもっている。従って、光学像と電子画像とを同一ファインダで同時に視認可能な場合、人間の視覚系は光学像の照明光源に順応してしまい、光学像近傍に表示された電子画像に対しても、同様の色順応を適用してしまう。しかし、電子画像には上述した標準観察環境下において最適な色再現となるようなホワイトバランス処理が行われている。従って、光学像の照明光源に順応した撮影者にとって、表示された電子画像は適正な色再現になっていない。そのため、撮影者が、光学像と電子画像との色味の違いに違和感を覚えてしまうという問題がある。
【０００８】
本発明は、上記問題点に鑑みなされたものであり、光学像と電子画像とが同時に表示されている場合であっても、光学像と電子画像との色味の違いを軽減できるようにすることを目的とする。
【課題を解決するための手段】
【０００９】
本発明の撮像装置は、被写体を撮像することにより前記被写体の光学像を電子画像に変換する撮像部を有し、同一光源下における同一被写体の前記光学像と前記電子画像とを表示部に同時に表示することができる撮像装置であって、前記光学像と同時に表示する前記撮像部からの電子画像に対し、標準観察環境下における色再現を実現する画像処理を行うことなく前記電子画像の被写体を照明している光源下における色再現を実現する画像処理を行う画像処理手段を有することを特徴とする。
【発明の効果】
【００１０】
本発明によれば、光学像と電子画像とが同時に表示されている場合であっても、光学像と電子画像との色味の違いを軽減させることができる。
【発明を実施するための最良の形態】
【００１１】
本発明の実施形態について図面に基づいて説明する。ここでは、本実施形態に係る撮像装置としてデジタル一眼レフカメラに適用した場合について説明する。
本実施形態に係るデジタル一眼レフカメラは、ＣＭＯＳやＣＣＤ等の撮像素子で物体像（被写体像）を撮像するスチルカメラである。このデジタル一眼レフカメラには、撮像動作の開始を指示するためのレリーズ釦がカメラの外装筐体に設けられている。また、デジタル一眼レフカメラは、撮像モードとして、レリーズ釦を押し続けている間、撮像動作を繰り返す連続撮像モード（連写モード）を備えている。デジタル一眼レフカメラは、この連写モードが選択された状態でレリーズ釦が操作されている間、物体像観察用可動ミラーを撮像光路外に退避させ、物体像（被写体像）を電子画像に光電変換する撮像動作を繰り返し行うようになっている。また、このデジタル一眼レフカメラには、撮影者が記録画像の再生動作を入力するための再生釦と、再生釦に応答して記録画像を再生表示する外部表示器がカメラの外装筐体に設けられている。
【００１２】
図１は、本実施形態に係るデジタル一眼レフカメラ（以下、カメラという）５０のハードウェア構成を示す図である。カメラ５０は、カメラ全体の動作シーケンスを司るＣＰＵ１４１、照明ユニット１０１、撮影レンズ１２０、ファインダ装置１３０、可動ミラー１２４、焦点検出装置１３９、シャッタ１２６、撮像素子１２７及び内蔵プリンタ１６０を有する。ここで、撮像素子１２７は、ＣＣＤやＣＭＯＳイメージャ等であり、アスペクト比３：２の矩形の撮像部を有する。
また、カメラ５０は、ズーム・ピント・防振駆動回路１３４、絞り駆動回路１３５、ミラー駆動回路１３６、ＡＦセンサ駆動回路１３７、シャッタ駆動回路１３８、除塵機構駆動回路１６９及びプリンタ制御回路１６１を有する。ここで、プリンタ制御回路１６１は内蔵プリンタ１６０を制御するものである。
【００１３】
また、カメラ５０は、撮像素子防振制御回路１７２、ＧＰＳ回路１６２、無線通信回路１６３、デジタルテレビチューナ１６４、赤外線通信回路１７０、音声処理回路１６５及び画像改ざん検知用データ処理回路１６６を有する。撮像素子防振制御回路１７２は、撮像素子１２７の位置を動かして画像の振れを止めるものである。ここで、ＧＰＳ回路１６２は、カメラの位置を計測するものである。カメラ５０は、赤外線通信回路１７０を介して、携帯電話等の外部機器との間で比較的少ないデータ量の通信を行うことができる。音声処理回路１６５は、マイクやスピーカ等が含まれ、マイクから入力される音声を変換したり、スピーカから音声を出力したりする。
また、カメラ５０は、スイッチ入力部１４２、ＥＥＰＲＯＭ１４３、信号処理回路１４５、照明制御回路１４６、ＥＰＲＯＭ１４７、ＳＤＲＡＭ１４８及びフラッシュメモリ１５０を有する。
【００１４】
撮影レンズ１２０は、複数のレンズ群１２１、１６７、１２３から構成されている。これらのレンズ群の間には、絞り機構１２２が設けられている。レンズ群１２１、１６７、１２３はズーム・ピント・防振駆動回路１３４によって駆動される。また、絞り機構（単に絞りという）１２２は絞り駆動回路１３５によって駆動される。
【００１５】
レンズ群１２１、１６７、１２３の後方には可動ミラー１２４が設けられている。可動ミラー１２４は、ハーフミラー及びその保持機構から構成され、第１の位置であるミラーダウンの位置と第２の位置であるミラーアップの位置との間で移動することができる。可動ミラー１２４は、露光時（撮像時）において、固定軸１２４ａを中心に回転し、ミラーダウンの位置である第１の位置からフォーカシングスクリーン１３１側に向けて、ミラーアップの位置である第２の位置に跳ね上がることで、撮影光路から待避する。また、可動ミラー１２４の中央部分の背面には、凹面鏡で構成されたサブミラー１２５が図１に示すように下方に物体光を反射するように設けられている。
【００１６】
サブミラー１２５の反射光軸の下方には、２つのレンズで像分離を行う再結像光学系１２８が設けられている。また、再結像光学系１２８による物体像の結像位置には、ＡＦセンサ１２９が設けられている。このＡＦセンサ１２９には、ＡＦセンサ駆動回路１３７が接続されている。これらサブミラー１２５、再結像光学系１２８及びＡＦセンサ１２９によって、焦点検出装置１３９を構成している。焦点検出装置１３９は、公知の位相差検出方式によって、撮像素子１２７上の複数の位置において物体の結像状態を検出する。
【００１７】
ズーム・ピント・防振駆動回路１３４は、既知の電磁モータや超音波モータ等の駆動源、これらの駆動源を制御するドライバ回路、レンズの位置を検出するエンコーダ装置等から構成されている。ズーム・ピント・防振駆動回路１３４はレンズ群１２１、１６７、１２３の光軸方向の位置を制御することにより、ズーム制御及びピント制御を行う。また、ズーム・ピント・防振駆動回路１３４はレンズ群１６７を光軸と直交する方向の位置に制御することにより防振制御を行う。
【００１８】
可動ミラー１２４の反射光路上には、ファインダ光学系が設けられている。ファインダ光学系は、フォーカシングスクリーン１３１、光学ガラスからなるペンタプリズム１３２、接眼レンズ１３３等から構成されている。ファインダ装置１３０は、このファインダ光学系に、液晶表示器１０８、プリズム１５４、測光レンズ１５５、測光センサ１５６等を加えて構成されている。
【００１９】
撮影レンズ１２０のレンズ群１２１、１６７、１２３を透過した物体光（入射光）は、可動ミラー１２４で反射され、フォーカシングスクリーン１３１上に結像される。撮影者は、このフォーカシングスクリーン１３１に結像された光学物体像（光学像）を、ペンタプリズム１３２及び接眼レンズ１３３を介して、単一の接眼窓（表示部）１６８を通して視認することができる。光学像を視認する利点は、時間遅れが事実上無いことである。
【００２０】
測光センサ１５６は、測光レンズ１５５を介してフォーカシングスクリーン１３１上の物体像の明るさを測光するためのセンサである。測光センサ１５６は、ファインダ装置１３０内であって、接眼レンズ１３３の観察光軸から偏心した測光軸上の位置に測光レンズ１５５と共に設けられている。また、測光センサ１５６は、複数に分割された受光面を有するフォトダイオードで形成されている。ＣＰＵ１４１は、測光センサ１５６のフォトダイオードから個々に出力された輝度出力に対し、焦点検出装置１３９によるフォーカシングスクリーン１３１上の測距位置に応じた演算を行う。ＣＰＵ１４１は、この演算結果から露光制御を行うための物体輝度情報（ＢＶ値）を求める。
【００２１】
なお、マイクロプロセッサで構成されるＣＰＵ１４１には、データバス１５２を介して、ズーム・ピント・防振駆動回路１３４、絞り駆動回路１３５、ミラー駆動回路１３６、ＡＦセンサ駆動回路１３７及び除塵機構駆動回路１６９が接続されている。また、ＣＰＵ１４１には、データバス１５２を介して、シャッタ駆動回路１３８、プリンタ制御回路１６１、撮像素子防振制御回路１７２、ＧＰＳ回路１６２、無線通信回路１６３、デジタルテレビチューナ１６４及び赤外線通信回路１７０が接続されている。さらに、ＣＰＵ１４１には、データバス１５２を介して、音声処理回路１６５、画像改ざん検知用データ処理回路１６６、照明制御回路１４６、スイッチ入力部１４２及び不揮発性メモリであるＥＥＰＲＯＭ１４３が接続されている。
【００２２】
次に、可動ミラー１２４の後方には、シャッタ１２６、除塵機構１７３及び撮像素子１２７が設けられている。シャッタ１２６は、シャッタ駆動回路１３８によって駆動され、所定秒時開放することで、物体像を撮像素子１２７の受光面に導くものである。なお、物体像が撮像素子１２７の受光面に導かれるには、可動ミラー１２４がミラー駆動回路１３６により駆動され第２の位置に上昇して、撮影レンズ１２０の光軸上から退避する必要がある。さらに、上述したように、シャッタ１２６がシャッタ駆動回路１３８により駆動され、開状態になる必要がある。物体像が導かれ、撮像素子１２７の受光面に結像することで、撮像動作が行われる。このとき、撮像素子防振機構１７１が、撮像素子防振制御回路１７２により駆動され、接続された画像のブレを打ち消す方向に撮像素子１２７をシフト及び回転させることで、画像が流れて解像感が失われることを防いでいる。なお、撮像素子防振機構１７１は、ファインダ装置１３０への光路の分割位置よりも撮像素子１２７よりにあるので、撮影者は撮像素子１２７のシフトや回転による構図の変化をファインダ装置１３０により確認することができない。
除塵機構１７３は、光学ローパスフィルタや赤外線カットフィルタを機械的に振動させ、これらに付着した異物に加速度を与え、それによって発生する力で異物を振るい落とすものである。
【００２３】
スイッチ入力部１４２は、カメラの外装筐体に設けられたレリーズ釦（図示せず）の半押し操作に連動してオンになる第１レリーズスイッチ及び同レリーズ釦の深押し操作に連動してオンになる第２レリーズスイッチを有している。また、スイッチ入力部１４２は、カメラ５０のパワースイッチに連動するスイッチ、外部表示器再生釦、液晶表示器再生釦及びカメラ５０内の各種モード釦に連動するモードスイッチ等の複数のスイッチを有する。スイッチ入力部１４２は、ユーザによる何れかのスイッチ操作に基づく操作信号をＣＰＵ１４１に供給する。ＣＰＵ１４１は、第１レリーズスイッチのオンを検出すると、ＡＦセンサ駆動回路１３７を制御し、ＡＦセンサ１２９上の２像間の距離を演算する。ＣＰＵ１４１は、演算した距離データからズーム・ピント・防振駆動回路１３４を制御し、撮影レンズ１２０により焦点調整を行う。また、ＣＰＵ１４１は、第２レリーズスイッチのオンを検出すると、ミラー駆動回路１３６を制御し、可動ミラー１２４を光軸上から第２の位置に退避させる。ＣＰＵ１４１は、この退避制御と共に、測光センサ１５６の出力に基づく物体輝度情報に基づいて適正絞り値、シャッタ秒時及び撮像素子感度を求める。ＣＰＵ１４１は、求めた絞り値で絞り駆動回路１３５を介して絞り機構１２２を駆動させる。ＣＰＵ１４１は、求めたシャッタ秒時でシャッタ駆動回路１３８を介してシャッタ１２６を駆動させる。
【００２４】
ＥＥＰＲＯＭ１４３は、不揮発性の半導体メモリである。ＥＥＰＲＯＭ１４３には、生産工程において、個々のカメラのばらつきを抑えて出荷するために必要なカメラの固体毎の調整値が格納されている。また、ＥＥＰＲＯＭ１４３には、測光センサ１５６からの出力により、ＣＰＵ１４１がバックライト１０８ｂの光量を規定するためのＢＶ値やバックライト光量の関係を示す係数等が格納されている。ＣＰＵ１４１は、ＥＥＰＲＯＭ１４３に格納されたＢＶ値とバックライト光量との関係を示す係数を参照し、バックライト１０８ｂに供給する電流量を決定し、視認するに適切な光量値を取得する。
【００２５】
シャッタ１２６の開動作によって撮像素子１２７の受光面に結像された物体像は、アナログ画像信号に変換される。また、アナログ画像信号に変換された物体像は、信号処理回路１４５においてデジタル画像信号に変換される。この信号処理回路１４５は、その内部にＲＩＳＣプロセッサ、カラープロセッサ、ＪＰＥＧプロセッサを含んで構成されている。信号処理回路１４５は、デジタル画像信号の圧縮・伸張処理、ホワイトバランス処理、エッジ強調処理等の画像処理を行う。また、信号処理回路１４５は、液晶表示器１０８に出力されるコンポジット信号（輝度信号、色差信号）への変換処理等を行う。
ＣＰＵ１４１及び信号処理回路１４５は、通信ライン１５３で接続されている。ＣＰＵ１４１と信号処理回路１４５との間では、この通信ライン１５３を介して、画像信号の取り込みタイミング等の制御信号やデータの送受が行われる。また、信号処理回路１４５は、データバス１５１を介して、ＥＰＲＯＭ１４７、ＳＤＲＡＭ（シンクロナスダイナミックランダムアクセスメモリ）１４８及びフラッシュメモリ１５０に接続されている。
【００２６】
信号処理回路１４５で生成されたコンポジット信号は、ファインダ装置１３０内の液晶表示器１０８（第１の表示装置）に出力され、電子画像が表示される。この液晶表示器１０８は、ペンタプリズム１３２と接眼レンズ１３３の間に設けられている。液晶表示器１０８は、カラー画像を表示するための表示素子であるＬＣＤ（液晶表示素子）１０８ａ及びこのＬＣＤ１０８ａの表示面を後方から照明するためのバックライト１０８ｂから構成されている。バックライト１０８ｂには、例えば白色ＬＥＤが用いられている。
【００２７】
ペンタプリズム１３２は、複数の反射面１３２ａを有している。また、ペンタプリズム１３２には、反射面１３２ａを延長した面１５４ｂを有し、ペンタプリズム１３２と同一の屈折率を有するプリズム１５４がインデックスマッチングを取った接着剤を用いて固着されている。液晶表示器１０８から発射された光線は、ペンタプリズム１３２に入射した後、プリズム１５４の内部で２回反射して、接眼レンズ１３３の方向へ導かれる（図２参照）。このとき、液晶表示器１０８のＬＣＤ１０８ａの表示面は、プリズム１５４の面１５４ａの曲率によって、フォーカシングスクリーン１３１と光学的に等価な位置となっている。そして、可動ミラー１２４が第１の位置にあるか第２の位置にあるかに拘わらず、撮影者はＬＣＤ１０８ａに表示された電子画像を、接眼窓１６８を通して視認することができる。つまり、液晶表示器１０８に電子画像を表示している間、撮影者はフォーカシングスクリーン１３１に結像した光学像と液晶表示器１０８に表示された電子画像との両方を、同一のファインダで同時に視認できる状態（第２の状態）となる。なお、ＬＣＤ１０８ａに表示された画像の明るさは、バックライト１０８ｂである白色ＬＥＤの電流供給量を変化させることで、適切な明るさに調整される。
【００２８】
ＥＰＲＯＭ１４７には、信号処理回路１４５に含まれるプロセッサ（ＣＰＵ）で処理されるプログラムが格納されている。ＳＤＲＡＭ１４８は、画像処理前の画像データや画像処理中の画像データを一時的に記憶する揮発性のメモリである。フラッシュメモリ１５０は、最終的に確定された画像データを記憶する不揮発性のメモリである。ＳＤＲＡＭ１４８は、画像データを記憶したり読み出したりする動作が高速であるものの、電源供給が停止されるとその記憶内容が消滅してしまう。一方、フラッシュメモリ１５０は、画像データを記憶したり読み出したりする動作が低速であるものの、カメラ５０のパワースイッチがオフされても記憶内容が保存される。
【００２９】
照明ユニット１０１は、発光パネル１０３、反射傘１１８及びＲＧＢ各色の高輝度ＬＥＤ１１９を有している。高輝度ＬＥＤから発射された光は、直接又は反射傘１１８によって反射され、発光パネル１０３を通過して物体に向けて照射される。照明ユニット１０１は、カメラ５０本体から取り外すことができる。取り外された照明ユニット１０１は、内蔵電池（図示せず）によって無線通信回路を駆動させることができる。即ち、照明ユニット１０１は、例えばＵＷＢ規格により無線通信回路１６３を介してカメラ５０本体と通信することができ、カメラ５０本体側から遠隔操作できるように構成されている。照明制御回路１４６は、ＣＰＵ１４１の制御の下で、ＲＧＢ各色の光量バランスを決定し、高輝度ＬＥＤ１１９へ発光指示を制御する。
【００３０】
カメラ５０の外装筐体には、外部表示器２０１（第２の表示装置）が設けられている。撮影者によってスイッチ入力部１４２が有する外部表示器再生釦が押されると、フラッシュメモリ１５０に記憶された電子画像が読み出される。読み出された電子画像は、信号処理回路１４５で各種画像処理を行い、再生画像として外部表示器２０１に表示される。ここで、外部表示器２０１はカメラ５０の外装筐体に設けられているため、撮影者が外部表示器２０１に表示された再生画像を視認するには、ファインダ装置１３０から目を離す必要がある。そのため、外部表示器再生釦が押されて外部表示器２０１に再生画像を表示しているとき、撮影者はフォーカシングスクリーン１３１上に結像した物体像と液晶表示器１０８に表示された電子画像との何れも観察することはできない。即ち、外部表示器２０１に再生画像を表示している間は、撮影者は電子画像しか観察できない状態となる。そこで、外部表示器２０１に再生画像を表示している間は、液晶表示器１０８による電子画像表示は中断するようにしてもよい。このように、液晶表示器１０８による電子画像表示は中断することで、電池の消耗を軽減することができる。
【００３１】
本実施形態のカメラ５０では、上述したように撮影者が同一のファインダ装置１３０でフォーカシングスクリーン１３１に結像した光学像と、液晶表示器１０８に表示された電子画像との両方を視認することができる（第１の状態）。さらに、本実施形態のカメラ５０では、撮影者が外装筐体に設けられた外部表示器２０１において、外部表示器２０１に表示された電子画像のみを視認することができる（第２の状態）。このように、本実施形態のカメラ５０では、撮影者は少なくとも上述した２つの表示形態により電子画像等を視認することができる。
【００３２】
図２はファインダ装置１３０の構成を示す断面図である。また、図３は図２の矢印Ａ方向から視たファインダ装置１３０の構成を示す側面図である。ファインダ装置１３０は、図１に示す可動ミラー１２４で反射・分岐した光路上において、フォーカシングスクリーン１３１、コンデンサレンズ１８０及びペンタプリズム１３２を有している。撮影レンズ１２０のレンズ群１２１、１６７、１２３を透過して、フォーカシングスクリーン１３１上に結像した物体光は、コンデンサレンズ１８０を透過して、ペンタプリズム１３２に入射される。ペンタプリズム１３２に入射された物体光は、ペンタプリズム１３２の反射面１３２ａ等に反射された後、面１３２ｂからアイカップ１８６で囲まれた接眼窓１６８の方向へ射出する。このとき、物体光は、ダイクロミラー１８２を透過し、３つのレンズ１３３ａ、１３３ｂ、１３３ｃで構成される接眼レンズ１３３を介して、接眼窓１６８を覗く撮影者の目に到達し、その網膜上で再結像する。
【００３３】
ダイクロミラー１８２は、有機ＥＬ表示素子１８５から発射されミラー１８４と視度合わせレンズ１８３とを透過した光を接眼窓１６８方向に反射する。ここで、フォーカシングスクリーン１３１上には、視野マスク１７９が設けられている。視野マスク１７９には、撮像素子１２７で撮像される物体像範囲を示す矩形開口を有している。接眼窓１６８を覗く撮影者は、有機ＥＬ表示素子１８５に示された焦点検出装置１３９の測距点位置情報１９７（図７参照）を視野マスク１７９中の物体像と重ねて見ることができる。
【００３４】
図４は液晶表示器１０８のＬＣＤ１０８ａの画面を示す図である。液晶表示器１０８のＬＣＤ１０８ａは、４：３のアスペクト比を有するカラーの表示範囲１０８ｃを有している。この表示範囲１０８ｃは、撮像素子１２７と同じ３：２のアスペクト比を有するＬＣＤ表示領域１０８ｄと扁平横長のＬＣＤ表示領域１０８ｅとをそれぞれファインダ視野内の電子画像表示に有している。ＬＣＤ表示領域１０８ｄには、電子画像が表示される。またＬＣＤ表示領域１０８ｅには、文字列やアイコンが表示される。
【００３５】
次に、ＬＣＤ１０８ａのＬＣＤ表示領域１０８ｄに表示された電子画像、即ちＬＣＤ１０８ａのＬＣＤ表示領域１０８ｄから発射された光線１９３は、図２に示すように、ペンタプリズム１３２の面１３２ｂからペンタプリズム１３２内に入射する。ペンタプリズム１３２内に入射した光線は図２に示す光線１９２である。ペンタプリズム１３２の面１３２ｂによって屈折し、方向が変化した光線１９２は、次に、銀蒸着された面１３２ａに入射する。光線１９２はここで反射し、ペンタプリズム１３２に接着により固着されたプリズム１５４に入射する。光線１９２は、銀蒸着された面１５４ａで再び反射し、さらにペンタプリズム１３２の面１３２ａと連続するプリズム１５４の銀蒸着された面１５４ｂに戻ってさらに反射する。そして、反射した光線１９２は、ペンタプリズム１３２の面１３２ｂから接眼窓１６８の方向へ射出する。
【００３６】
このように、プリズム１５４内において反射光路を構成することにより、接眼レンズ１３３からＬＣＤ表示領域１０８ｄまでの光路長が、接眼レンズ１３３からフォーカシングスクリーン１３１までの光路長に近くなる。従って、ＬＣＤ表示領域１０８ｄの視度とフォーカシングスクリーン１３１の視度とがほぼ合致する。
さらに、プリズム１５４の面１５４ａに曲率を付与することで、ＬＣＤ表示領域１０８ｄの視度とフォーカシングスクリーン１３１の視度とをより正確に合わせることができる。なお、プリズム１５４の面１５４ａが平面であっても、もともと両者の視度が近くなっているので、面１５４ａの曲率はごく弱いものでよい。また、面１５４ａの反射光路は偏芯系となるものの、光学諸収差の劣化は無視できる程度である。
【００３７】
図５はペンタプリズム１３２への光線の入射状態を示す図である。ＬＣＤ１０８ａのＬＣＤ表示領域１０８ｄから発射された光線１９３のうち、緑色の光線１９３ｇは、ペンタプリズム１３２の面１３２ｂに対して角θ１で斜めに入射し、空気とガラスの界面で屈折し、角θ２でペンタプリズム１３２の内部を進む。ここで、ガラスの屈折率の色分散により、光の波長に応じて角θ１と角θ２との関係は異なるので、このままではＬＣＤ表示領域１０８ｄが電子画像として表示された場合、上下方向の色滲みが発生し、解像感の悪い画像となってしまう。そこで、ＬＣＤ表示領域１０８ｄに表示される電子画像は、予めＲＧＢの画像を色分散によって発生する位置ズレ量だけシフトさせている。
【００３８】
図６はＬＣＤ表示領域１０８ｄに表示される電子画像の位置ズレ状態を示す図である。ＬＣＤ表示領域１０８ｄには、赤色の電子画像１９４ｒ、緑色の電子画像１９４ｇ及び青色の電子画像１９４ｂが、上下方向に位置が異なって表示されている。この結果、赤色の電子画像１９４ｒ、緑色の電子画像１９４ｇ及び青色の電子画像１９４ｂの対応する位置から発射された光線１９３ｒ、１９３ｇ及び１９３ｂは、図５に示すように、ペンタプリズム１３２の内部で１本の光線１９２として進行する。そして、最終的に色滲みがほとんど解消された状態で、光線１９２は撮影者の目まで到達する。
また、ＬＣＤ１０８ａの表示領域１０８ｅから発射された光線１９４（図２参照）は、導光プリズム１８１を経てペンタプリズム１３２の底面からペンタプリズム１３２に入射し、物体光と同じようにペンタプリズム１３２内を反射して面１３２ｂから射出される。
【００３９】
図７はファインダ視野内の表示を示す図である。ファインダ視野内の表示は、第１表示領域１９１、第２表示領域１９０ｄ、第３表示領域１９０ｅ及び測距点位置情報１９７から構成されている。第１表示領域１９１は、視野マスク１７９の開口によって規定された物体の光学像を示す。第２表示領域１９０ｄは、第１表示領域１９１の上方にあって、ＬＣＤ１０８ａのＬＣＤ表示領域１０８ｄに基づく電子画像による情報表示を行う。第３表示領域１９０ｅは、第１表示領域１９１の下方にあって、ＬＣＤ１０８ａのＬＣＤ表示領域１０８ｅに基づく文字列やアイコンによる情報表示を行う。測距点位置情報１９７は、第１表示領域１９１の内部にあり、有機ＥＬ表示素子１８５によって示される。このとき、第２表示領域１９０ｄ、第３表示領域１９０ｅ及び測距点位置情報１９７の表示輝度は、何れも測光センサ１５６及び測光レンズ１５５からなる測光装置の出力に基づき、撮影者が視認するに適切な値に制御される。
【００４０】
図７の第２表示領域１９０ｄに表示される電子画像は、情報表示の１つとして、前回撮影された画像である。図７の第２表示領域１９０ｄに表示される電子画像には、光学ローパスフィルタ上に付着した異物が写り込んでしまったことによって、撮影者は黒点１９５が存在したことが判断できる。また、撮像素子防振機構１７１が作動したことによって、撮影者は被写体の上方が欠けた意図しない構図の物体像になったことが判断できる。さらには、画像がブレていないこと、ピントが物体に合っていること等が判断できる。
【００４１】
さらに、画像の属性に対応した所定のマークを画像と同時に表示することによって、その画像に付加された情報を表すことができる。例えば、図７に示したダイヤ形のマーク１９６は、画像改ざん検知用データ処理回路１６６によって、前回撮影した画像に対し、適切に画像改ざん検知用データが付加されたことを示している。また、他のカメラで撮影された画像を表示した場合には、改ざん検知判定結果を他のマークで示してもよい。
なお、本実施形態では、液晶表示器１０８を用いたが、この代わりに有機ＥＬ表示器を用いてもよい。この場合、バックライト１０８ｂは不要となる。
【００４２】
図８は、撮像素子１２７上に設けられた色分解用カラーフィルタの構成を示す図である。カラーフィルタはＲＧＢの各色フィルタ要素が１画素毎に規則的に配列された構成を有している。具体的には図８に示すように、横方向に緑信号（Ｇ）及び青信号（Ｂ）が交互に配列された第１ラインと、赤信号（Ｒ）及び緑信号（Ｇ）が交互に配列された第２ラインと、が交互に配列され、単位印刷情報が形成されている。本実施形態では、３８９６ピクセル×２５９５ピクセルの有効画素が得られるように構成するため、色分解用カラーフィルタを使用することにより足りない部分の色データは補間処理を用いて、各有効画素分の２４ビットＲＧＢデータ（各８ビット）を作成する。また、本実施形態では、モザイクカラーフィルタを用いた場合について説明したが、補間処理の必要のない３ＣＣＤ構成によるカラーフィルタを用いてもよく、カラーフィルタとしてＣＭＹ（補色）系を用いてもよい。
【００４３】
次に、電子画像のみ表示する場合のホワイトバランスの補正方法について説明する。ここで、人間の視覚系は明るさや色に対する恒常性を有するため、照明光源が変化しても色の見え方に大きな変化は与えない色順応特性をもっている。この色順応を定量化し、ホワイトバランスに、その比率を反映させることで、人間の見た目の色を標準観察環境下において再現することができる。ここで言う標準観察環境下とは、ｓＲＧＢ色空間において規定している発行体色のＤ６５光源（ｘ＝０．３１２７，ｙ＝０．３２９１）の基準白を想定している。ただし、標準観察環境下はこの場合に限られず、異なる基準白であってもよい。
【００４４】
図９（ａ）は電子画像のみを表示する場合のホワイトバランス処理を行うホワイトバランス補正装置２１４の構成を含むブロック図である。図９（ａ）では、撮像素子１２７、輝度信号色度信号生成回路２０２、ホワイトバランス補正装置２１４、色差信号生成回路２０５が示されている。また、ホワイトバランス補正装置２１４は、ゲイン制御回路２０３，２０４、ゲート回路２０７，２０８、（Ｒ−Ｂ）信号検出回路２０９、平均化回路２１０、比較増幅器２１１、リミット回路２１２、トラッキング補正回路２１３を含んで構成されている。
【００４５】
次に、ホワイトバランス補正装置２１４の処理動作について説明する。まず、撮像素子１２７に入射された光信号は、光電変換され、輝度信号色度信号生成回路２０２に入力される。光電変換され入力された光信号に対して、輝度信号色度信号生成回路２０２は、輝度信号の高周波成分ＹＨ、輝度信号の低周波成分ＹＬ、赤色信号（Ｒ）及び青色信号（Ｂ）を出力する。これらの信号のうち、赤色信号（Ｒ）及び青色信号（Ｂ）は、それぞれ各色のゲイン制御回路２０３，２０４に入力される。ゲイン制御回路２０３、２０４は、トラッキング補正回路２１３からの制御信号によって制御された特性に従って、それぞれ増幅した後、色信号Ｒ′、色信号Ｂ′として出力する。次に、色信号Ｒ′及び色信号Ｂ′は、輝度信号ＹＬと共に色差信号生成回路２０５に入力される。色差信号生成回路２０５は、入力された色信号Ｒ′、色信号Ｂ′及び輝度信号ＹＬに基づいて、色差信号（Ｒ−ＹＬ）、（Ｂ−ＹＬ）を生成する。この色差信号（Ｒ−ＹＬ）、（Ｂ−ＹＬ）は、輝度信号ＹＨと共に、以降の画像処理回路に出力される。
【００４６】
ここで色差信号（Ｒ−ＹＬ）、（Ｂ−ＹＬ）は、ホワイトバランス補正装置２１４にも入力される。即ち、色差信号（Ｒ−ＹＬ）、（Ｂ−ＹＬ）はそれぞれゲート回路２０７、２０８に入力される。ゲート回路２０７、２０８は、ブランキング期間内の不要信号、高輝度撮影時の信号つぶれによる異常色差信号等を取り除く。次に、ゲート回路２０７、２０８から出力された信号は（Ｒ−Ｂ）信号検出回路２０９に入力される。（Ｒ−Ｂ）信号検出回路２０９は、ゲート回路２０７から出力された色差信号（Ｒ−ＹＬ）と、ゲート回路２０８から出力された色差信号（Ｂ−ＹＬ）との差をとることにより、（Ｒ−Ｂ）信号を生成する。次に、平均化回路２１０は、（Ｒ−Ｂ）信号検出回路２０９から出力された（Ｒ−Ｂ）信号を平均化し、直流信号に変換する。比較増幅器２１１は、平均化回路２１０から出力された出力信号レベルと基準電圧Ｖｒｅｆ１とを比較して、それに応じた出力信号を出力し、この出力信号をリミット回路２１２に入力する。次に、リミット回路２１２は、比較増幅器２１１からの出力信号のレベルを、実用的な色温度範囲（例えば２０００Ｋ〜１００００Ｋ）でホワイトバランスが制御されるように、色温度の上限、下限に対応してそれぞれＶ２ｒ、Ｖ３ｒに設定する。即ち、リミット回路２１２からの出力信号のレベルは、Ｖ２ｒ以上、Ｖ３ｒ以下になる。
【００４７】
次に、リミット回路２１２からの出力信号はトラッキング補正回路２１３に入力される。トラッキング補正回路２１３は、リミット回路２１２からの出力信号に基づき、ゲイン制御回路２０３、２０４のゲインをホワイトバランスが補正されるような信号を生成する。より具体的には、トラッキング補正回路２１３は、被写体の（Ｒ−Ｂ）信号成分がほぼ０になるように制御するための信号Ｒｃｏｎｔ，Ｂｃｏｎｔを生成し、それぞれゲイン制御回路２０３，２０４に出力する。このように、電子画像のみを表示する場合、電子画像中の無彩色部における色信号の赤色成分と青色成分とが等しくなるように各色信号のゲインを制御することによりホワイトバランス処理が行われる。
【００４８】
ここで、図１０及び図１１を用いて、Ｒｃｏｎｔ及びＢｃｏｎｔと色温度との関係の一例について説明する。図１０のベクトル図に示すように、色温度６０００Ｋの白色の点をＰ１とし、２０００Ｋの白色の点をＰ２とし、１００００Ｋの白色の点をＰ３とする。図１１に示すように、Ｐ１に対応するＲｃｏｎｔ、Ｂｃｏｎｔの電圧をそれぞれＶ１ｒ、Ｖ１ｂとする。この場合、Ｐ２を図１０のベクトル図の中心へ制御（補正）するためのＲｃｏｎｔ、Ｂｃｏｎｔの電圧は、図１１のＶ２ｒ、Ｖ２ｂとなる。同様に、Ｐ３を図１０のベクトル図の中心へ制御するためのＲｃｏｎｔ、Ｂｃｏｎｔの電圧は、図１１のＶ３ｒ、Ｖ３ｂとなる。
【００４９】
また、図１０に示す点Ｐ４は、Ｒｃｏｎｔ、Ｂｃｏｎｔの値がＶ３ｒ，Ｖ３ｂまでで制限されているため、ホワイトバランス補正装置２１４が動作しても図１０のベクトル図の中心Ｐ１までには補正されない。以上のように、ホワイトバランス補正装置２１４の負帰還ループが構成されているため、実用的な色温度範囲内ではホワイトバランスのとれた色差信号を得ることができる。本発明のホワイトバランス処理とは、このような被写体の（Ｒ−Ｂ）信号成分に応じて、ＲＢのゲインを制御する一連の処理のことである。
【００５０】
図１２は薄暗い室内で撮影したシーン（Ａ）の補正前ヒストグラムを示す図である。図１２（ａ）は輝度分布を示すヒストグラムである。図１２（ｂ）（ｃ）（ｄ）は、それぞれＲ信号、Ｇ信号、Ｂ信号の濃度分布を示すヒストグラムである。図１２に示すように、シーン（Ａ）の画像は、Ｒ信号及びＢ信号共に同じような分布であり、色差がないものである。図１２に示すシーン（Ａ）の画像に対して、上述したホワイトバランス補正装置２１４により補正する。図１３は薄暗い室内で撮影したシーン（Ａ）の補正後ヒストグラムを示す図である。図１３に示すように、輝度、Ｒ信号、Ｇ信号、Ｂ信号のそれぞれが同じように明るくなるように補正されている。
【００５１】
図１４は日没１時間前の夕焼けで撮影したシーン（Ｂ）の補正前ヒストグラムを示す図である。図１４に示すように、シーン（Ｂ）の画像は、Ｒ信号が突出しているものである。図１４に示すシーン（Ｂ）の画像に対して上述したホワイトバランス補正装置２１４により補正する。図１５は日没１時間前の夕焼けで撮影したシーン（Ｂ）の補正後ヒストグラムを示す図である。図１５に示すように、Ｒ信号がＧ信号及びＢ信号との比率差が減り、加えて輝度が明るくなるように補正されている。
【００５２】
次に、図１６（ａ）〜（ｄ）を参照して、人間の視覚系の色順応特性について説明する。例えば、光源の分光特性が、図１６（ａ）に示すような場合を想定する。図１６（ａ）に示す光源の分光特性は、各波長成分の強度がほぼ等しく、フラットな特性を有している。図１６（ｂ）は、この光源に照らされている無彩色被写体からの光の分光特性を示す図である。図１６（ｂ）に示す無彩色被写体からの光の分光特性は、光源の分光特性と同様にフラットな分布となる。このような光源下では、ＲＧＢ光に対する人間の目の感度はほぼ等しく、図１６（ｃ）に示すように、フラットな感度バランスとなる。ここで、図１６（ｃ）に示すＲＧＢ光に対する感度分布は、人間の目が無彩色被写体を無彩色として認識することを説明するために模式的に描いたＲＧＢ感度分布であり、人間の目の分光感度分布とは異なる。図１６（ｃ）に示すように、ＲＧＢ感度分布はフラットな感度バランスとなるため、人間の目が認識する被写体の色味も、図１６（ｄ）に示すように、フラットな分布となる。これにより、人間は被写体が無彩色であると認識する。
【００５３】
次に、光源の分光特性が、図１７（ａ）に示すような場合を想定する。図１７（ａ）に示す光源の分光特性は、長波長側にいくほど強度が強くなっている。図１７（ａ）に示す光源の分光特性によれば、色味としては少し赤味がかったものになる。図１７（ｂ）は、この光源に照らされている無彩色被写体からの光の分光特性を示す図である。図１７（ｂ）に示す無彩色被写体からの光の分光特性は、光源の特性の影響で、長波長成分を多く含む分布となる。このような光源下でも人間の視覚系は白色の見え方が一定となるようにするために、ＲＧＢ光に対する人間の目の感度は、図１７（ｃ）に示すように、光源の分光強度に対して逆数の関係となるように分布する。従って、図１７（ｃ）に示すように、ＲＧＢ感度分布は、ＲからＢにいくにつれて強くなるような、傾きをもった感度バランスとなる。そのため、被写体の分光特性は長波長側にいくほど強くなるのに対して、人間の目の感度は長波長側にいくほど弱くなっており、両方で打ち消しあうことで、人間の目が認識する色味としては、図１７（ｄ）に示すように、色によらずフラットな分布となる。上述した人間の視覚系の色順応特性により、人間の視覚系は、どのような光源下においても、白いものは同じように白く見えるように、感度バランスを調整している。
【００５４】
一方、本実施形態のカメラ５０のように、光学像と電子画像とが同一ファインダで同時に視認できる場合、大部分の表示を占める光学像に対して、人間の目は色順応性を働かせる。そのため、人間の目は、標準観察環境下において忠実な色再現をするようにホワイトバランス処理を行った電子画像に対して正しい色で認識しない。
【００５５】
次に、図１８（ａ）〜図１８（ｄ）を参照して、光学像に対して色順応性を働かせた人間の目が、電子画像を正しい色で認識しないメカニズムについて説明する。例えば、光源の分光特性が、図１８（ａ）に示すような場合を想定する。図１８（ａ）に示す光源の分光特性は、長波長側にいくほど強度が強くなっており、色味としては少し赤味がかったものになる。このような光源で照明された無彩色被写体を電子画像として表示する場合、その電子画像は標準観察環境下で無彩色となるようにホワイトバランス処理が行われるため、電子画像の分光特性は、図１８（ｂ）に示すようにフラットなものとなる。
【００５６】
一方、人間の目は、図１８（ａ）に示すような少し赤味がかった光源下でも白色の見え方が一定となるようにするために、ＲＧＢ光に対する人間の目の感度は、図１８（ｃ）に示すように、光源の分光強度に対して逆数の関係となるように分布する。従って、図１８（ｃ）に示すように、ＲＧＢ感度分布は、ＲからＢにいくにつれて強くなるような、傾きをもった感度バランスとなる。そのため、電子画像の分光特性はフラットなのに対して、人間の目の感度は長波長側にいくほど弱くなっており、人間の目が認識する色味としては、図１８（ｄ）に示すように、青味がかった色となってしまう。それに対して、人間の目は光学像に対しては、上述した色順応特性により、光源が少し赤味がかったものであっても、無彩色のものは無彩色として認識してしまう。上述したような仕組みにより、光学像と電子画像とが同一ファインダで同時に視認可能な場合、撮影者は、両者の色味の違いを認識してしまう。
【００５７】
そこで本実施形態のカメラ５０では、光学像と電子画像とが同一ファインダで同時に視認可能な場合に、電子画像のみ視認可能なときとは異なるホワイトバランス処理を行う。即ち、電子画像のみ視認可能なときには、カメラ５０は標準観察環境下で正しい色再現が実現できるようにホワイトバランスを行う。それに対して、光学像と電子画像とが同一ファインダで同時に視認可能なときには、カメラ５０は被写体を照明している光源において、正しい色再現が実現できるようにホワイトバランス処理を行う。
【００５８】
次に、光学像と電子画像とが同一ファインダで同時に視認可能な場合のホワイトバランスの補正方法について説明する。上述したように人間の視覚系は、明るさや色に対する恒常性を有するため、人間の視覚系は照明光源が変化しても色の見え方に大きな変化は与えない色順応特性をもっている。この色順応を定量化し、ホワイトバランスに、その比率を反映させることで、人間の見た目の色を標準観察環境下において再現することができる。さらに、光学像と電子画像とが同一ファインダで同時に視認可能な場合には、その比率を、被写体を照明している光源の分光特性に応じて調整することで、光学像に対して色順応特性を働かせた人間の目にも、正しい色再現が可能となる。
【００５９】
図９（ｂ）は、光学像と電子画像とが同一ファインダで同時に視認可能な場合のホワイトバランス補正処理の画像処理を行うホワイトバランス補正装置２１４の構成を含むブロック図である。図９（ｂ）では、撮像素子１２７、輝度信号色度信号生成回路２０２、ホワイトバランス補正装置２１４、色差信号生成回路２０５が示されている。また、ホワイトバランス補正装置２１４は、ゲイン制御回路２０３，２０４を含んで構成されている。
【００６０】
次に、ホワイトバランス補正装置２１４の処理動作について説明する。まず、撮像素子１２７に入射された光信号は、光電変換され、輝度信号色度信号生成回路２０２に入力される。光電変換され入力された光信号に対して、輝度信号色度信号生成回路２０２は、輝度信号の高周波成分ＹＨ、輝度信号の低周波成分ＹＬ、赤色信号（Ｒ）及び青色信号（Ｂ）を出力する。これらの信号のうち、赤色信号（Ｒ）及び青色信号（Ｂ）は、それぞれ各色のゲイン制御回路２０３，２０４に入力される。ゲイン制御回路２０３、２０４は、それぞれ増幅した後、色信号Ｒ′，色信号Ｂ′として出力する。次に、色信号Ｒ′及び色信号Ｂ′は、輝度信号ＹＬと共に色差信号生成回路２０５に入力される。色差信号生成回路２０５は、入力された色信号Ｒ′、色信号Ｂ′及び輝度信号ＹＬに基づいて、色差信号（Ｒ−ＹＬ）、（Ｂ−ＹＬ）を生成する。この色差信号（Ｒ−ＹＬ）、（Ｂ−ＹＬ）は輝度信号ＹＨと共に、以降の画像処理回路に出力される。
【００６１】
電子画像のみ視認可能な場合には、ホワイトバランス補正装置２１４は、被写体の（Ｒ−Ｂ）信号成分がほぼ０になるように、ゲイン制御回路２０３，２０４を制御していた。それに対して、光学像と電子画像とが同一ファインダで同時に視認可能な場合には、それとは異なる制御を行う。より具体的には、例えばホワイトバランス補正装置２１４がゲイン制御回路２０３、２０４において、ほぼ等しくゲイン値をかけることで、増幅後の色信号Ｒ′，色信号Ｂ′に、光源の特性を残すようにすればよい。ホワイトバランス補正装置２１４が、このような赤と青とに対するゲイン制御を行ってホワイトバランス処理をすることにより、ホワイトバランス処理後の電子画像に光源の色特性を残すことができる。即ち、光学像と電子画像とが同一ファインダで同時に視認可能な場合であっても、光源の色特性を残すような画像処理を行うことで、光学像に対して色順応特性を働かせた人間の目でも、正しい色再現が行うことができる。このように、光学像と電子画像とを同時に表示する場合の電子画像に対しては、例えば、電子画像中の色信号の赤色成分と青色成分とに、等しいゲインをかけることによりホワイトバランス処理が行われる。
【００６２】
次に、図１９（ａ）〜図１９（ｄ）を参照して、光学像に対して色順応性を働かせた人間の目が電子画像を正しい色で認識するメカニズムについて説明する。ここでは、ホワイトバランス補正装置２１４は、上述のようにＤ６５光源の輝度２４０相当時との色差にある係数をかけたものでホワイトバランス処理を行う。光源の分光特性が、図１９（ａ）に示すように、長波長側にいくほど強度が強くなっている場合を想定する。このような光源で照明された無彩色被写体を、Ｄ６５光源の輝度２４０相当時との色差にある係数をかけたものでホワイトバランス処理を行った電子画像として表示した場合、電子画像の分光特性は図１９（ｂ）に示すように、光源の分光特性を残したものとなる。一方、人間の目は、図１９（ａ）に示すような長波長側にいくほど強度が強くなっている光源下でも、白色の見え方が一定になるように、ＲＧＢ光に対する人間の目の感度は、図１９（ｃ）に示すように、光源の分光強度に対して逆数の関係となるように分布する。従って、図１９（ｃ）に示すように、ＲＧＢ感度分布は、ＲからＢにいくにつれて強くなるような、傾きをもった感度バランスとなる。そのため、被写体の分光特性は長波長側にいくほど強くなるのに対して、人間の目の感度は長波長側にいくほど弱くなっており、両方で打ち消しあうことで、人間の目が認識する色味としては、図１９（ｄ）に示すように、色によらずフラットな分布となる。上述したような仕組みにより、光学像に対して色順応性を働かせた人間の目であっても、電子画像を正しい色で認識することができる。
【００６３】
次に、図１のような構成を有するカメラ５０におけるＣＰＵ１４１の動作シーケンスについて説明する。図２０は、カメラ５０のメインフローチャートを示す図である。また、図２１は、スイッチ入力部１４２のレリーズ釦を半押し操作（第１レリーズオン操作）した後に実行される撮像動作手順を示すフローチャートである。図２１の撮影動作フローチャートは、図２０のメインフローチャート内にて呼び出されるサブルーチンである。
【００６４】
まず、ＣＰＵ１４１は、スイッチ入力部１４２が有するメインスイッチ（パワースイッチ）がオンになっているか否かを判定する（ステップＳ１００）。メインスイッチがオンの場合には、ＣＰＵ１４１は、カメラ５０の電気回路を駆動させて、撮影準備状態にする（ステップＳ１０１）。メインスイッチがオンでない場合には、ＣＰＵ１４１は、さらにメインスイッチがオンになっているか否かを判定する。
次に、ＣＰＵ１４１は、第１レリーズスイッチがオンされたか否かを判定する（ステップＳ１０２）。第１レリーズスイッチがオンされた場合には、ＣＰＵ１４１はステップＳ２００に処理を進め、撮影動作サブルーチンを実行し、撮影動作に入る。一方、第１レリーズスイッチがオンされていない場合には、ＣＰＵ１４１は、スイッチ入力部１４２が有する外部表示器再生釦がオンされたか否かを判定する（ステップＳ１０３）。
【００６５】
外部表示器再生釦のオンを検出すると、ＣＰＵ１４１は、ステップＳ１０４に処理を進め、フラッシュメモリ１５０に記憶された画像を読み出し、信号処理回路１４５で各種画像処理を行い、再生画像として外部表示器２０１に表示する。なお、外部表示器２０１は、カメラ５０の外装筐体に設けられているため、撮影者が外部表示器２０１に表示された再生画像を視認するには、ファインダ装置１３０から目を離す必要がある。そのため、ＣＰＵ１４１が、外部表示器再生釦の押下を検出し外部表示器２０１に再生画像を表示しているときには、撮影者はフォーカシングスクリーン１３１上に結像した物体像も、液晶表示器１０８に表示された電子画像も、視認することはできない。即ち、外部表示器２０１に再生画像が表示されている間は、撮影者は電子画像しか視認できない状態となる。
ここで、ステップＳ１０４のように、撮影者が電子画像のみ視認可能なときには、ＣＰＵ１４１は、標準観察環境下において良好な色再現となるようなホワイトバランス処理を行った電子画像を表示する。これにより撮影者は電子画像のみを観察した場合に、正しい色味の電子画像を視認することができる。
【００６６】
ステップＳ１０３において、外部表示器再生釦が押されなかったと判定された場合には、ＣＰＵ１４１は、ステップＳ１０５に処理を進め、スイッチ入力部１４２が有する液晶表示器再生釦がオンされたか否かを判定する。液晶表示器再生釦がオンされたと判定された場合には、ＣＰＵ１４１はミラー駆動回路１３６を介して可動ミラー１２４を第１の位置から第２の位置である撮像光路外に退避させる（ステップＳ１０６）。ミラーアップが完了したら、ＣＰＵ１４１はフラッシュメモリ１５０に記憶された画像を読み出し、信号処理回路１４５で各種画像処理を行い、再生画像として液晶表示器１０８に表示する（ステップ１０７）。
【００６７】
ステップＳ１０７において、液晶表示器１０８に再生画像を表示しているときは、ミラーアップしているので、ファインダ装置１３０には被写体光束が到達しないため、光学像は表示されていない。そのため、ミラーアップした状態で液晶表示器１０８に再生画像を表示している間は、撮影者は電子画像しか視認することができない状態となる。
ここで、ステップＳ１０７のように、撮影者が電子画像のみ視認可能なときには、ＣＰＵ１４１は、標準観察環境下において良好な色再現となるようなホワイトバランス処理を行った電子画像を表示する。これにより撮影者は電子画像のみを観察した場合に、正しい色味の電子画像を視認することができる。
【００６８】
ステップＳ２００の撮影動作サブルーチンが終了した場合及びステップＳ１０４において記録画像を外部表示器２０１に表示が終了した場合、ＣＰＵ１４１は、ステップＳ１００に処理を戻す。また、ステップ１０５において液晶表示器再生釦がオンされていないと判定された場合及びステップ１０７において記録画像を液晶表示器１０８に表示が完了した場合にも、ＣＰＵ１４１は、ステップＳ１００に処理を戻す。
【００６９】
次に、ステップＳ２００の撮影動作サブルーチンについて図２１のフローチャートを参照して説明する。まず、ＣＰＵ１４１は、測光レンズ１５５を介して測光センサ１５６を駆動させ、測光を行う（ステップＳ２０１）。また、ＣＰＵ１４１は、測光センサ１５６からの出力を用いて物体の輝度を測定する（ステップＳ２０１）。また、ＣＰＵ１４１は、測定した輝度の輝度情報から露光量（絞り機構１２２の絞り込み量、シャッタ１２６のシャッタスピード及び撮像素子感度）を所定の演算プログラムに従って演算する。
【００７０】
次に、ＣＰＵ１４１は、フラッシュメモリ１５０に前回記憶した電子画像（デジタル画像信号）を読み出す。ＣＰＵ１４１は、ファインダ装置１３０の第２表示領域１９０ｄに読み出した電子画像を表示するように指示する制御信号を、信号処理回路１４５に送出する（ステップＳ２０２）。信号処理回路１４５は、この制御信号を受けると、上記電子画像を一時的にＳＤＲＡＭ１４８に格納すると共に、この電子画像をコンポジット信号に変換する処理を行う。信号処理回路１４５は、このコンポジット信号を液晶表示器１０８に供給し、液晶表示器１０８のＬＣＤ１０８ａに電子画像を表示する。この結果、ファインダ装置１３０の第２表示領域１９０ｄには、前回撮像された電子画像が表示される。なお、既に電子画像が表示されている場合、信号処理回路１４５は、そのまま表示を継続する。
【００７１】
ＣＰＵ１４１は、バックライト１０８ｂを構成する白色ＬＥＤへの電流供給量を変更することで、バックライト１０８ｂの光量を調整する。ＣＰＵ１４１は、撮像前に測光した物体輝度（輝度情報）に基づき、撮影者がＬＣＤ１０８ａに表示された電子画像を視認するのに適切な光量で照明する。液晶表示器１０８によって表示される電子画像はファインダ内に表示されるため、撮影者は、液晶表示器１０８による電子画像とフォーカシングスクリーン１３１に結像した光学象とを同時に視認可能な状態となる。
【００７２】
本実施形態のカメラ５０は、電子画像と光学像とが同時に視認可能なときには、被写体を照明する光源下において良好な色再現となるようなホワイトバランス処理を行った電子画像を表示する。即ち、カメラ５０は、外部表示器２０１に表示するときとは異なるホワイトバランス処理を行った画像を表示する。これにより、撮影者は光学像の照明光源に順応したときであっても、正しい色味の電子画像として認識することができる。
【００７３】
次に、ＣＰＵ１４１は、ＡＦセンサ駆動回路１３７を介してＡＦセンサ１２９を駆動し、撮影レンズ１２０のデフォーカス量（測距値）を測定する（ステップＳ２０３）。さらに、ＣＰＵ１４１は、この測距値に基づき、レンズ群１２１、１６７、１２３の合焦動作を行う。次に、ＣＰＵ１４１は、撮影者によってレリーズ釦が深押しされているか否か、即ち、スイッチ入力部１４２に接続された第２レリーズスイッチがオンになっているか否かを判定する（ステップＳ２０４）。第２レリーズスイッチがオンになっていない場合、ＣＰＵ１４１は、撮影者によってレリーズ釦が半押しされているか否か、即ち、第１レリーズスイッチがオンになっているか否かを判定する（ステップＳ２１６）。第１レリーズスイッチがオンになっている場合、ＣＰＵ１４１は、レリーズ釦が半押しされている状態であると判断し、ステップＳ２０１に処理を戻す。一方、第１レリーズスイッチがオンになっていない場合、撮影者がレリーズ釦から指を離したと判断できるので、ＣＰＵ１４１は、そのまま図２０に示すメインフローチャートで示されるメインルーチンに処理を戻す。
【００７４】
一方、ステップＳ２０４において、第２レリーズスイッチがオンになっている場合、ＣＰＵ１４１は、レリーズ釦が深押しされていると判断する。そして、ＣＰＵ１４１は、ミラー駆動回路１３６を介して可動ミラー１２４を第１の位置から第２の位置である撮像光路外に退避させる（ステップＳ２０５）。ＣＰＵ１４１は、ステップＳ２０５でミラーアップを行った後、ステップＳ２０１で演算された絞り込み量に基づき、絞り駆動回路１３５を介して絞り機構１２２の絞り込み動作を行う（ステップＳ２０６）。
【００７５】
次に、ＣＰＵ１４１は、撮像開始を指示する信号を信号処理回路１４５に送出する（ステップＳ２０７）。信号処理回路１４５は、この信号を受けると、撮像素子１２７の電荷蓄積動作を開始させる。ＣＰＵ１４１は、ステップＳ２０１で演算されたシャッタスピードに基づき、シャッタ１２６を開閉する（ステップＳ２０８）。
ＣＰＵ１４１は、シャッタ１２６を閉成した後、信号処理回路１４５に撮像停止を指示する信号を送出する（ステップＳ２０９）。信号処理回路１４５は、この信号を受けると、撮像素子１２７での電荷蓄積動作を終了させる。さらに、信号処理回路１４５は、撮像素子１２７から画像信号を読み出してアナログデジタル（Ａ／Ｄ）変換を行い、デジタル画像信号に変換する処、及びこれに付随する画像処理を実行する。
【００７６】
ＣＰＵ１４１は、上記デジタル画像信号の格納及び表示を指示する制御信号を信号処理回路１４５に送出する（ステップＳ２１０）。信号処理回路１４５は、この信号を受けると、上記デジタル画像信号を一時的にＳＤＲＡＭ１４８の連写データ蓄積領域に順番に格納すると共に、同データをコンポジット信号に変換する処理を行う。信号処理回路１４５は、このコンポジット信号を液晶表示器１０８に供給し、液晶表示器１０８のＬＣＤ１０８ａに撮像された電子画像を表示する。この結果、ファインダ装置１３０の第２表示領域１９０ｄには、電子画像が表示される。このとき、ＣＰＵ１４１は、バックライト１０８ｂを構成する白色ＬＥＤへの電流供給量を変更することで、バックライト１０８ｂの光量を調整する。ＣＰＵ１４１は、撮像前に測光した物体輝度に基づき、撮影者がＬＣＤ１０８ａに表示された電子画像を視認するのに適切な光量で照明する。
【００７７】
ここで、液晶表示器１０８に表示された電子画像は、フォーカシングスクリーン１３１に結像した光学像に近接表示されているので、撮影者はファインダ装置１３０を通して両方を同時に視認することが可能である。上述したように、人間の視覚系は、被写体を照明している光源に対して色順応してしまうため、標準観察環境下で正しい色再現が実現できるようにホワイトバランス処理が行われた電子画像を、色味が違うと感じてしまう恐れがある。従って、本実施形態のカメラ５０は、光学像と電子画像とが同一ファインダで同時に視認可能な場合には、電子画像のみ視認可能なときとは異なるホワイトバランス処理を行う。より具体的には、カメラ５０は光学像と電子画像とが同一ファインダで同時に視認可能な場合には、被写体を照明している光源において、正しい色再現が実現できるようにホワイトバランス処理を行う。
【００７８】
次に、ＣＰＵ１４１は、絞り駆動回路１３５を介して絞り機構１２２を絞り込み状態から開放状態に戻す（ステップＳ２１１）。ＣＰＵ１４１は、ミラー駆動回路１３６を介して可動ミラー１２４を第２の位置から第１の位置である撮像光路内に復帰（ミラーダウン）させる（ステップＳ２１２）。
ＣＰＵ１４１は、第２レリーズスイッチがオンであるか否かを判定する（ステップＳ２１３）。第２レリーズスイッチがオンである場合、ＣＰＵ１４１は、ステップＳ２０１の処理に戻り、第２レリーズスイッチがオフになるまでステップＳ２０１からステップＳ２１２までの処理を繰り返す。つまり、この時点で第２レリーズスイッチがオフでない場合、ＣＰＵ１４１は、連写を継続する。従って、ファインダ装置１３０には、直前に撮像された電子画像が動画のように順次表示されることになる。
【００７９】
一方、ステップＳ２１３において第２レリーズスイッチがオンでない場合、ＣＰＵ１４１は撮影者が連写を終了させようとしていると判断する。この場合、ＣＰＵ１４１は、ＳＤＲＡＭ１４８に一時的に記憶されている連写画像をフラッシュメモリ１５０の所定の記憶領域に記憶するように、信号処理回路１４５に指示する（ステップＳ２１４）。信号処理回路１４５は記憶を始めると、撮影した電子画像を撮影者に確認させるために、直前に撮影した画像を、所定時間自動的に外部表示器２０１に表示する（ステップＳ２１５）。この後、ＣＰＵ１４１は、メインルーチンに処理を戻す。
【００８０】
ここで、ステップＳ２１５における撮影画像の外部表示器２０１への表示は、通常、レックビューと称される機能であり、撮影した画像が撮影者の意図通りのものであるかを確認するために、撮影した直後に所定時間自動的に表示されるものである。レックビュー時に撮影者は、外部表示器２０１に表示された電子画像と直視した被写体とを見比べて、色味や構図を確認する可能性がある。このとき、撮影者の視覚系は、被写体を照明している光源に対して色順応するので、標準観察環境下で最適な色再現となるようにホワイトバランス処理を行われた電子画像に、色味が違うと感じてしまう恐れがある。そこで本実施形態のカメラ５０は、レックビュー時には、外部表示器２０１に表示するにも関わらず、被写体を照明している光源において最適な色再現となるようにホワイトバランス処理を行った電子画像を表示する。つまり、撮影者による操作を受けてフラッシュメモリ１５０に保存された画像を再生表示するときと、異なるホワイトバランス処理を行った電子画像を表示する。これにより、レックビュー時に撮影者が電子画像と被写体とを見比べたときでも、撮影者が感じる被写体と電子画像との色味の違いを軽減することができる。
【００８１】
このように、本実施形態のカメラによれば、光学像と電子画像とを同一ファインダで同時に視認可能なときでも、光学像と電子画像との色味の違いを軽減することができる。
【００８２】
上述した本発明の実施形態における撮像装置を構成する各手段及び撮像装置の制御方法の各ステップは、コンピュータのＲＡＭやＲＯＭ等に記憶されたプログラムが動作することによっても実現できる。このプログラム及び前記プログラムを記録したコンピュータ読み取り可能な記録媒体は本発明に含まれる。
【００８３】
また、本発明は、例えば、システム、装置、方法、プログラムもしくは記録媒体等としての実施形態も可能であり、具体的には、複数の機器からなるシステムに適用してもよい。
【００８４】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００８５】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００８６】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００８７】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても上述した実施形態の機能が実現される。
【図面の簡単な説明】
【００８８】
【図１】本実施形態に係るカメラのハードウェア構成を示す図である。
【図２】ファインダ装置の構成を示す断面図である。
【図３】ファインダ装置の構成を示す側面図である。
【図４】液晶表示器のＬＣＤの画面を示す図である。
【図５】ペンタプリズムへの光線の入射状態を示す図である。
【図６】ＬＣＤ表示領域に表示される電子画像の位置ズレ状態を示す図である。
【図７】ファインダ視野内の表示を示す図である。
【図８】撮像素子上に設けられた色分解用カラーフィルタの構成を示す図である。
【図９】ホワイトバランス補正装置の構成を示す図である。
【図１０】ゲイン制御動作のベクトル図を示す図である。
【図１１】色温度とＲｃｏｕｎｔ及びＢｃｏｕｎｔとの関係を示す図である。
【図１２】薄暗い室内で撮影したシーン（Ａ）の補正前ヒストグラムを示す図である。
【図１３】薄暗い室内で撮影したシーン（Ａ）の補正後ヒストグラムを示す図である。
【図１４】日没１時間前の夕焼けで撮影したシーン（Ｂ）の補正前ヒストグラムを示す図である。
【図１５】日没１時間前の夕焼けで撮影したシーン（Ｂ）の補正後ヒストグラムを示す図である。
【図１６】フラットな光源下で無彩色被写体を見た場合の人間の視覚系の色順応特性を説明するための図である。
【図１７】傾きをもった光源下で無彩色被写体を見た場合の人間の視覚系の色順応特性を説明するための図である。
【図１８】傾きをもった光源下で、通常のホワイトバランス処理を行った電子画像を見た場合の人間の視覚系の色順応特性を説明するための図である。
【図１９】傾きをもった光源下で、観察光源に合わせたホワイトバランス処理を行った電子画像を見た場合の人間の視覚系の色順応特性を説明するための図である。
【図２０】カメラの処理動作のメインフローチャートを示す図である。
【図２１】カメラの撮影の処理動作のフローチャートを示す図である。
【符号の説明】
【００８９】
５０  デジタル一眼レフカメラ
１０８  液晶表示器
１２７  撮像素子
１３０  ファインダ装置
１３１  フォーカシングスクリーン
１４１  ＣＰＵ
１４５  信号処理回路
１６８  接眼窓
１９０ｄ  第２表示領域
１９１  第１表示領域
２０１  外部表示器
【図１】
0005153441.tif 000002
【図２】
0005153441.tif 000003
【図３】
0005153441.tif 000004
【図４】
0005153441.tif 000005
【図５】
0005153441.tif 000006
【図６】
0005153441.tif 000007
【図７】
0005153441.tif 000008
【図８】
0005153441.tif 000009
【図９】
0005153441.tif 000010
【図１０】
0005153441.tif 000011
【図１１】
0005153441.tif 000012
【図１２】
0005153441.tif 000013
【図１３】
0005153441.tif 000014
【図１４】
0005153441.tif 000015
【図１５】
0005153441.tif 000016
【図１６】
0005153441.tif 000017
【図１７】
0005153441.tif 000018
【図１８】
0005153441.tif 000019
【図１９】
0005153441.tif 000020
【図２０】
0005153441.tif 000021
【図２１】
0005153441.tif 000022